(57)【要約】      （修正有）【課題】  自動車等の車両の空調装置であって健康な車室内空間を提供することができる車両用空調装置を提供すること。【解決手段】  本発明の車両用空調装置は、車室内に香料が含まれた空調風を吹き出す車両用空調装置であって、香料が、生体調節機能をもつ分子を有することを特徴とする。本発明の車両用空調装置により吹き出す空調風は、生体調節機能をもつ分子を車室内に拡散させることで、車室内の乗員には、この生体調節機能がはたらき、乗員の快適性が向上する。【選択図】  図２
2006117135.tif 000002
【特許請求の範囲】
【請求項１】
車室内に香料が含まれた空調風を吹き出す車両用空調装置であって、
該香料が、生体調節機能をもつ分子を有することを特徴とする車両用空調装置。
【請求項２】
前記生体調節機能は、日焼け防止機能である請求項１記載の車両用空調装置。
【発明の詳細な説明】
【技術分野】
【０００１】
本発明は、車両用空調装置に関し、詳しくは、乗員に対して効果を持つ香料を有する香りが付与された空調風を吹き出す車両用空調装置に関する。
【背景技術】
【０００２】
従来、車室内の空気質を改善する方法として、塵や微粒子を除去する除塵と、においを除去する脱臭とのふたつの方法がある。これらふたつの方法は、ともに空気を浄化する方法であり、フィルタや活性炭などを搭載した空気清浄機のような回収型(集めてとる形)の装置で塵や微粒子やにおいの化合物を除去することで実施されている。
【０００３】
しかしながら、このような方法は、人にとって害や不快を与えないようにするという消極的な方法でしかなく、また空気清浄機に車室内の空気を通さないと（空気清浄器を作動させないと）空気の浄化を行えないといった問題があった。
【０００４】
そこで、近年は、これらの回収型の空気の浄化方法に加えて、いわゆるマイナスイオンを空気中に放出する装置のように放出型の装置で空気を浄化する方法が出現してきている。この放出型の装置は、プラスアルファの機能として、乗員がリラックスできることや除菌ができるといった効果をもつ。
【０００５】
しかしながら、イオンを空気中に放出する場合、電気的な性質により放出されたイオンが障害物に接触すると消えてしまい、特に自動車のように突起物が多い空間では、十分に車室内に行き渡らせることが難しかった。
【０００６】
また、別の放出型の空気質の改善方法として、車室内に香料を放出する方法がある。古くからアロマテラピーという表現で知られるように、香りによって生体（乗員）に様々な効果を与えることができる。このアロマテラピーによる方法は、車室内に放出される香料が化学物質よりなるため上記イオンのようにすぐに消失するという問題は生じないが、効果に対する科学的根拠に乏しかった。
【発明の開示】
【発明が解決しようとする課題】
【０００７】
本発明は上記実状に鑑みてなされたものであり、自動車等の車両の空調装置であって健康な車室内空間を提供することができる車両用空調装置を提供することを課題とする。
【課題を解決するための手段】
【０００８】
上記課題を解決するために本発明者らは、空調風に生体調節機能を持つ香料を分散させることで上記課題を解決できることを見出した。
【０００９】
すなわち、本発明の車両用空調装置は、車室内に香料が含まれた空調風を吹き出す車両用空調装置であって、香料が、生体調節機能をもつ分子を有することを特徴とする。
【発明の効果】
【００１０】
本発明の車両用空調装置は、生体調節機能をもつ分子を有する香料を空調風に含ませて吹き出す。すなわち、本発明の車両用空調装置は、生体調節機能をもつ分子を車室内に拡散させる。この結果、車室内の乗員にこの生体調節機能をもつ分子の生体調節機能がはたらき、乗員の生体が調節されて車両の快適性が向上する。
【発明を実施するための最良の形態】
【００１１】
本発明の車両用空調装置は、車室内に香料が含まれた空調風を吹き出す。すなわち、本発明の車両用空調装置は、温度、湿度、清浄度等など空気の条件が調節され、香料が分散した空調風を吹き出す。
【００１２】
また、本発明において香料とは、空調風に香りや生体調節機能などの機能を付与することができる物質を示すものであり、空気に香りをつけるためのフレグランス（香粧品香料）のみを示すものではない。
【００１３】
本発明において、香料は、生体調節機能をもつ分子を有する。生体調節機能とは、乗員の状態を変化させる（あるいは外的な要因による変化を抑える）機能である。生体調節機能は、車両の乗員の状態を良好にする機能であることが好ましい。空調風に含まれる香料が生体調節機能をもつ分子を有することで、車両用空調装置を作動させたときに車室内に生体調節機能をもつ分子が分散され、車室内の乗員の状態を良好な状態に変化させる。なお、本発明において生体調節機能は、生体調節機能をもつ分子による効果が確認された機能を示す。
【００１４】
生体調節機能をもつ分子は、複数の分子の組み合わせ（混合物）でなく、単独の物質（一つの分子）よりなることが好ましい。一つの生体調節機能が複数の分子の混合物により得られる場合には、複数の分子をそれぞれ車室内に所定量で吹き出すことが必要となり、そのうちの一つの物質の量が不足するだけで十分な生体調節機能が得られなくなる。すなわち、一つの分子により一つの生体調節機能が得られることで、乗員に対して生体調節機能が有効にはたらくようになる。
【００１５】
本発明の車両用空調装置は生体調節機能をもつ分子を有する香料が含まれる空調風を吹き出すものであり、香料は、それぞれが異なる生体調節機能を持つ複数の異なる分子が含まれていてもよい。空調風にそれぞれが生体調節機能を持つ異なる複数の分子が含まれると、それぞれ異なる複数の生体調節機能のそれぞれが乗員にはたらくようになる。
【００１６】
生体調節機能は、乗員の状態を変化させる機能であれば特に限定されるものではなく、たとえば、日焼け防止機能、覚醒機能、精神安定（イライラ解消）機能、車酔い防止機能、アレルギー改善機能、活性酸素低減機能、集中力向上機能等の機能をあげることができる。
【００１７】
本発明の車両用空調装置から吹き出す空調風に含まれる香料は、生体調節機能をもつ分子以外の分子を含むことが好ましい。すなわち、香料は、生体調節機能を持たない分子を含むことが好ましい。生体調節機能を持たない分子としては、空気に香りをつけるためのフレグランスをあげることができる。
【００１８】
本発明の車両用空調装置は、生体調節機能をもつ分子を有する香料が含まれる空調風を吹き出すことができる空調装置であれば、その装置の構成は特に限定されるものではない。また、空調装置も、いわゆるエアコンだけでなく、空気清浄器であってもよい。
【００１９】
また、香料を空調風に含ませる方法についても特に限定されるものではない。たとえば、あらかじめ香料を含んだ空気を空調装置に導入する方法、空調装置で調整された空気中に香料を含ませる方法等の方法をあげることができる。また、香料を空気に含ませる方法についても特に限定されるものではない。たとえば、香料を含む薬液を空気中に噴霧する方法、揮発性をもたせた香料を空気流中あるいは近傍に配置して空気中に香料を揮発させる方法などの方法をあげることができる。
【実施例】
【００２０】
以下、実施例を用いて本発明を説明する。
【００２１】
本発明の実施例として、車両用空調装置を製造した。
【００２２】
（実施例１）
本実施例は、車両のインストルメントパネル１の内部に配設された内部に空気流路がもうけられた送風機２と、送風機２内の空気流路中に配設されるフィルタ３０をもつフィルタユニット３と、フィルタユニット３内に配設される表面から香料が揮発する香り付与部材４と、をもつ送風装置である。また、本実施例の送風装置は図示されないダクトにより送風機２と車室内とが連通されており、送風装置において調整された空調風は、このダクトを通って車室内に吹き出す。本実施例の車両用空調装置を図１に示した。
【００２３】
送風機２は、その内部に空気流路が区画された装置である。また、送風機２は、この空気流路中に空気を流すためのファン（図示せず）をもつ。本発明の車両用空調装置においては、送風機２は、ファンと空気流路以外の装置については特に記載しない。
【００２４】
フィルタユニット３は、フィルタ３０を送風機２内の空気流路中に配設し空気流路中の空気からほこりを取り除く。フィルタ３０は、プリーツ状に折り曲げられた不織布よりなる。なお、このフィルタ３０は、空気が透過するすき間をもつ材質よりなればよく、たとえば、セルロース、布、多孔性セラミックス等の材質よりなるコルゲート、プリーツ、ハニカム等により形成してもよい。
【００２５】
また、フィルタユニット３は、香り付与部材４が配設される。香り付与部材４は香料を有し、この香料が揮発し、空気中に分散する。香り付与部材４に保持された香料は、生体調節機能として日焼け防止機能を有する分子を含む。なお、日焼け防止機能を有する分子は、揮発性をもつ。また、香料は、揮発性をもつフレグランスを含む。
【００２６】
香り付与部材４は、揮発性の香料を含む薬液４０と、薬液４０を貯留する一つの表面が開口した略槽状のケース４１と、ケース４１の開口部を封止し香料が透過する透過膜４２と、をもつ。香り付与部材４は、透過膜４２から揮発性の香料が揮発する。香り付与部材４の断面図を図２に示した。なお、香料は、乗員の皮膚の表面に配されたときに、乗員が日焼けすることを防止する。
【００２７】
透過膜４２は、薬液４０が浸潤することなく香料を透過させることができる材質よりなればよい。このような透過膜４２としては、ポリエチレン、シリコン樹脂、ポリイミド等の樹脂よりなるフィルム状の部材をあげることができる。
【００２８】
香り付与部材４は、フィルタユニット３中であって、空気流路を流れる空気の下流側に配設される。香り付与部材４は、透過膜４２から薬液４０中の香料が揮発している。すなわち、香り付与部材４が空気流路中に配設されることで、空気流路を流れる空気中に香料が揮発し、香料が含まれる空調風が調整される。
【００２９】
本実施例の送風装置は、香り付与部材４をフィルタユニット３に配設したのちに、このフィルタユニット３を送風機２に組み付ける。すなわち、本実施例の送風装置は、空調風に香料を含ませるための装置を新たに必要としていない。
【００３０】
本実施例の送風装置を作動させると、送風機２の内部に形成された空気流路中を空気が流れる。空気流路中を流れる空気は、空気流路中に配設されたフィルタユニット３に至り、フィルタユニット３のフィルタ３０を透過する。フィルタ３０を空気が透過すると、フィルタ３０のすき間より大きなほこりが除去される。
【００３１】
フィルタ３０においてほこりが除去された空気は、空気流路中を流れ、香り付与部材４が配設された位置に到達する。そして、香り付与部材４の透過膜４２からは香料が揮発している。すなわち、香り付与部材４が配設された位置において空気中に香料が分散される。
【００３２】
そして、さらに空気流路中を空気が流れ、送風機２から排出され、ダクトを通って車室内に香料を含む空調風として吹き出す。
【００３３】
車室内に吹き出した空調風は香料が含まれている。空調風と共に車室内に吹き出した香料は、車室内に分散される。このとき、香料は乗員の皮膚表面にも存在するようになる。香料が乗員の皮膚表面に存在すると、香料の日焼け防止機能により、乗員が日焼けすることを抑えることができる。すなわち、本発明の送風装置は、乗員が日焼けすることを抑えることができる。
【００３４】
また、日焼け防止機能をもつ分子が車室内に拡散されることで、車室内のシートやインストルメントパネルなどの表面に付着することで、これらが紫外線により褪色することが抑えられる。
【００３５】
本実施例の送風装置に用いられた香り付与部材４は、ケース４１が薬液４０を複数箇所（２カ所）で貯留しているが、それぞれ異なる香料を含む異なる薬液を貯留してもよい。また、本実施例の送風装置は、複数の香り付与部材４をフィルタユニット３に配設する構成としてもよい。このとき、それぞれが異なる薬液を貯留していてもよい。それぞれが異なるや苦役を貯留したときには、空調風に含まれる香料を任意に設定できるようになる。
【００３６】
（実施例２）
本実施例は、車両の後部座席後方に配設されたエアピュリファイヤ５である。本実施例のエアピュリファイヤを図３に示した。
【００３７】
本実施例のエアピュリファイヤ５は、実施例１の車両用空調装置の送風機２に相当する。本実施例のエアピュリファイヤ５は、車室内の空気を吸入する送風ファン５２と、車室内に開口した吸入口５０および吹き出し口５１とを連通し送風ファン５２により吸入された空気が流れる空気流路と、空気流路中に配設され空気流路内を流れる空気からほこりを取り除くエアピュリフィルタ５３と、エアピュリフィルタ５３の下流側に配設された香り付与部材４と、を有する。なお、本実施例のエアピュリファイヤ５は、従来公知のエアピュリファイヤのエアフィルタの下流側に実施例１において用いられた香り付与部材４を配設した構成とすることができる。なお、日焼け防止機能を持つ揮発性の香料は、実施例１において用いられた香料と同様な香料を用いた。
【００３８】
本実施例のエアピュリファイヤ５は、送風ファン５２により吸入口５０から車室内の空気を空気流路中に導入する。空気は空気流路中を流れ、エアピュリフィルタ５３を透過してほこりが除去される。その後、香り付与部材４から揮発した香料が空気中に分散され、吹き出し口５１から車室内に吹き出す。本実施例のエアピュリファイヤは、実施例１の車両用空調装置と同様に、車室内に香り付与部材に貯留された日焼け防止機能を持つ香料を車室内に吹き出すことができる。すなわち、実施例１の車両用空調装置と同様に乗員が日焼けすることを抑えることができる。
【００３９】
（実施例３）
本実施例は、図４〜５にその構成が示されたエアコンである。
【００４０】
本実施例のエアコンは、従来の車両用のエアコンの空気流路に並列な状態で香り付加装置が組み付けられた構成を有している。本実施例のエアコンは、車室内の空気を吸入するブロアファン６０と、車室内に開口した吸入口６１および複数の吹き出し口６２とを連通しブロアファン６０により吸入された空気が流れる空気流路と、空気流路中に配設され空気流路内を流れる空気を冷却する冷却器６３と、冷却器６３において冷却された空気の流れを制御するエアミックスドア６４と、エアミックスドア６４の下流に設けられ冷却器６３において冷却された空気を加熱するヒーターコア６５と、空気流路の冷却器６３の上流側を流れる空気を吸入して香料を含ませた後にヒーターコア６５の下流部に吐出する香り付加装置７と、を有する。複数の吹き出し口６２は、車室内に開口した空調風が吹き出す吹き出し口であり、デフロスタ６２０、足元吹き出し口６２１、センターレジスタ６２２およびサイドレジスタ６２３をもつ。
【００４１】
本実施例のエアコンは、ブロアファン６０、空気流路、冷却器６３、エアミックスドア６４およびヒーターコア６５を備えた装置が空気の温度および湿度を調節する。この温度および湿度を調節する装置は、従来の車両用のエアコンと同様な構成である。
【００４２】
また、香り付加装置７は、空気流路の冷却器６２の上流側に開口した空気取り入れ口７０とヒーターコア６５の下流側に開口した空気吐出口７１とを連通し空気流路の外部にもうけられた香り付加空気流路と、香り付加空気流路中にそれぞれが並列な状態で配設され香り付加空気流路を流れる空気に香料を分散させる複数の香りカセット７２と、それぞれの香りカセット７２を流れる空気流量を制御する電磁弁７３と、を有する。香り付加装置７は、車両のインストルメントパネル１のオーディオスペース１０に配設されており、香りカセット７２の交換を車室内で行うことができる。
【００４３】
本実施例のエアコンは、空気流路を流れる空気の圧力損失により生じる圧力差により、空気流路に流れる空気の一部を香り付加装置に送っている。そして、香り付加装置７において空気に香料を分散させる。そして、香料が分散した空気をエアコンの空気流路に戻して調温が行われた風と混合して車室内に開口した吹き出し口から吹き出す。
【００４４】
香り付加装置７は、複数の香りカセット７２のうち少なくとも一つの香りカセット７２が日焼け防止機能をもつ揮発性の香料を有している。また、日焼け防止機能を持つ香りカセット以外の香りカセットには、任意のフレグランスを有している。なお、日焼け防止機能を持つ揮発性の香料は、実施例１において用いられた香料と同様な香料を用いた。
【００４５】
香り付加装置７は、電磁弁７３を作動して香り付加空気流路中を流れる空気量を制御する。すなわち、各香りカセット７２に含まれる香料およびフレグランスの空気中への分散量を制御できる。
【００４６】
本実施例のエアコンにおいても、少なくとも一つの香りカセット７２が日焼け防止機能を持つ香料を有していることから、車室内に香料が分散した空調風を吹き出すことができる。すなわち、実施例１の車両用空調装置と同様に乗員が日焼けすることを抑えることができる。
【図面の簡単な説明】
【００４７】
【図１】実施例１の送風装置を示した図である。
【図２】実施例１の送風装置の香り付与部材を示した断面図である。
【図３】実施例２のエアピュリファイヤを示した図である。
【図４】実施例３のエアコンの構成を示した図である。
【図５】実施例３のエアコンを示した図である。
【符号の説明】
【００４８】
１…インストルメントパネル        １０…オーディオスペース
２…送風機
３…フィルタユニット
４…香り付与部材                  ４０…薬液
４１…ケース                      ４２…透過膜
５…エアピュリファイヤ            ５０…吸入口
５１…吹き出し口                  ５２…送風ファン
５３…エアピュリフィルタ
７…香り付加装置                  ７０…空気取り入れ口
７１…空気吐出口                  ７２…香りカセット
７３…電磁弁
【図１】
2006117135.tif 000003
【図２】
2006117135.tif 000004
【図３】
2006117135.tif 000005
【図４】
2006117135.tif 000006
【図５】
2006117135.tif 000007